【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
複数のクラスの何れかに夫々属する複数のショートセルを記憶する記憶手段，前記記憶手段に記憶された複数のショートセルを読み出す順序を指定する順序指定手段，前記順序指定手段によって指定された順序に従って前記記憶手段から複数のショートセルを順次読み出す読み出し手段，及び前記記憶手段から読み出された複数のショートセルを多重化する多重化手段を備えたショートセル多重装置であって、
前記順序指定手段が、
同一クラスに属する二つのショートセルを時間をおいて読み出す際のショートセルの読み出し間隔値をクラス毎に保有する読み出し間隔保有手段と、
前記読み出し手段によってショートセルが読み出され得るタイミング数を計数する計数手段と、
前記計数手段によって計数されたタイミング数が前記読み出し間隔値に達したクラスに属するショートセルの読み出し指示を前記読み出し手段に与えるクラス指定手段と
を有することを特徴とするショートセル多重装置。
【請求項２】
前記クラス指定手段は、前記計数手段によって計数されたショートセルの個数が前記読み出し間隔値に達したクラスが複数存する場合には、これらの複数のクラスから所定の優先順位に従って一つのクラスを特定し、特定したクラスに属するショートセルの読み出し指示を前記読み出し手段に与える
ことを特徴とする請求項１記載のショートセル多重装置。
【請求項３】
複数のクラスの何れかに夫々属する複数のショートセルを記憶する記憶手段，前記記憶手段に記憶された複数のショートセルを読み出す順序を指定する順序指定手段，前記順序指定手段によって指定された順序に従って前記記憶手段から複数のショートセルを順次読み出す読み出し手段，及び前記記憶手段から読み出された複数のショートセルを多重化する多重化手段を備えたショートセル多重装置であって、
前記順序指定手段が、
複数のクラスから一つのクラスを指定するためのバイト数であるクレジット値をクラス毎に保有するクレジット保有手段と、
前記読み出し手段によってショートセルが読み出された際にそのショートセルの属するクラスのクレジット値から当該ショートセルのバイト数を減算する減算手段と、
クレジット保有手段に保有されたクレジット値が最も大きいクラスに属するショートセルの読み出し指示を前記読み出し手段に与えるクラス指定手段と
を有することを特徴とするショートセル多重装置。
【請求項４】
前記クレジット保有手段は、前記順序指定手段による読み出し順序の指定が開始される際にクレジット値の初期値をなす所定のクレジット設定値をクラス毎に保有する
ことを特徴とする請求項３記載のショートセル多重装置。
【請求項５】
前記順序指定手段が、前記クレジット保有手段に保有されたクレジット値の全てが所定の閾値以下となった場合には、各クレジット値に対応するクラスのクレジット設定値をそのクレジット保有手段に保有された各クレジット値に加算する加算手段をさらに有する
ことを特徴とする請求項４記載のショートセル多重装置。
【請求項６】
前記順序指定手段は、クレジット保有手段に保有されたクレジット値が最も大きいクラスが複数ある場合には、これらの複数のクラスから所定の優先順位に従って一つのクラスを特定し、特定したクラスに属するショートセルの読み出し指示を前記読み出し手段に与える
ことを特徴とする請求項４記載のショートセル多重装置。
【請求項７】
複数のクラスの何れかに夫々属する複数のショートセルを記憶する記憶手段，前記記憶手段に記憶された複数のショートセルを読み出す順序を指定する順序指定手段，前記順序指定手段によって指定された順序に従って前記記憶手段から複数のショートセルを順次読み出す読み出し手段，及び前記記憶手段から読み出された複数のショートセルを多重化する多重化手段を備えたショートセル多重装置であって、
前記順序指定手段が、
複数のクラスから一つのクラスを指定するためのバイト数であるクレジット値をクラス毎に保有するクレジット保有手段と、
前記読み出し手段によってショートセルが読み出された際にそのショートセルの属するクラスのクレジット値から当該ショートセルのバイト数を減算する減算手段と、
前記読み出し手段によって最後に読み出されたショートセルの属するクラスである前回クラスを示す前回クラス情報が記憶される前回クラス情報記憶手段と、
前記クレジット保有手段に保有された各クレジット値について所定の閾値以上であるか否かを判定する判定手段と、
前記前回クラス情報及び前記判定手段の各判定結果に基づいて複数のクラスから一つのクラスを選択しこの選択したクラスに属するショートセルの読み出し指示を前記読み出し手段に与えるクラス選択手段と
を有することを特徴とするショートセル多重装置。
【請求項８】
前記クラス選択手段は、前記クレジット保有手段に保有された複数のクレジット値のうち二以上のクレジット値が前記所定の閾値以上であり且つこの二以上のクレジット値に対応する各クラスに前記前回クラスが含まれる場合には、前記二以上のクレジット値に対応する各クラスのうち前記前回クラス以外のものから一つのクラスを選択する
ことを特徴とする請求項７記載のショートセル多重装置。
【請求項９】
前記所定の閾値が零である
ことを特徴とする請求項５,７,８の何れかに記載のショートセル多重装置。
【請求項１０】
前記クラス選択手段は、前記所定の閾値以上のクレジット値を有し且つ前記前回クラス以外のクラスが複数ある場合には、これらの複数のクラスから所定の優先順位に従って一つのクラスを特定し、特定したクラスに属するショートセルの読み出しを前記読み出し手段に与える
ことを特徴とする請求項７記載のショートセル多重装置。
【請求項１１】
複数のクラスの何れかに夫々属する複数のショートセルを記憶する記憶手段，前記記憶手段に記憶された複数のショートセルを読み出す順序を指定する順序指定手段，前記順序指定手段によって指定された順序に従って前記記憶手段から複数のショートセルを順次読み出す読み出し手段，及び前記記憶手段から読み出された複数のショートセルを多重化する多重化手段を備えたショートセル多重装置であって、
前記順序指定手段が、
各クラスに割り当てられた帯域の比率及び前記記憶手段から読み出されたショートセルの長さに基づいてこのショートセルと同一クラスに属するショートセルが次に読み出される予定時刻をバイト単位でクラス毎に算出する演算手段と、
前記演算手段によって算出された各予定時刻と現時刻とを夫々対比して現時刻が予定時刻に達したクラスに属するショートセルの読み出し指示を前記読み出し手段に与えるクラス指定手段と
を有することを特徴とするショートセル多重装置。
【請求項１２】
前記クラス指定手段は、前記現時刻が予定時刻に達したクラスが複数ある場合には、これらの複数のクラスから所定の優先順位に従って一つのクラスを特定し、特定したクラスに属するショートセルの読み出し指示を前記読み出し手段に与える
ことを特徴とする請求項１１記載のショートセル多重装置。
【請求項１３】
前記クラス指定手段は、同一の予定時刻が設定されたクラスが複数ある場合には、これらの複数のクラスから所定の優先順位に従って一つのクラスを特定し、特定したクラスに属するショートセルの読み出し指示を前記読み出し手段に与える
ことを特徴とする請求項１１記載のショートセル多重装置。
【請求項１４】
複数のクラスの何れかに夫々属するショートセルを、ＡＴＭ(非同期転送モード)セルのペイロードの中へ多重化するショートセル多重装置であって、
各クラス毎に設定された読み出し間隔に基づいて、読み出すべきショートセルの属するクラスを指定する手段を設けたことを特徴とするショートセル多重装置。
【請求項１５】
複数のクラスの何れかに夫々属するショートセルを、ＡＴＭ(非同期転送モード)セルのペイロードの中へ多重化するショートセル多重装置であって、
前回読み出されたショートセルの属するクラスと長さとを考慮して、今回読み出されるショートセルの属するクラスを指定する手段を設けたことを特徴とするショートセル多重装置。
【請求項１６】
複数のクラスの何れかに夫々属するショートセルを、ＡＴＭ(非同期転送モード)セルのペイロードの中へ多重化するショートセル多重装置であって、
各クラスに属するショートセルの読み出しタイミングを、そのクラスと同じクラスに属する前回読み出されたショートセルの長さを考慮して決定する手段を設けたことを特徴とするショートセル多重装置。
【手続補正２】
【補正対象書類名】明細書
【補正対象項目名】００３８
【補正方法】変更
【補正の内容】
【００３８】
請求項１３の発明は、請求項１１のクラス指定手段が、同一の予定時刻が設定されたク
ラスが複数ある場合には、これらの複数のクラスから所定の優先順位に従って一つのクラスを特定し、特定したクラスに属するショートセルの読み出し指示を前記読み出し手段に与えることで、特定したものである。
請求項１４の発明は、複数のクラスの何れかに夫々属するショートセルを、ＡＴＭ(非
同期転送モード)セルのペイロードの中へ多重化するショートセル多重装置であって、各
クラス毎に設定された読み出し間隔に基づいて、読み出すべきショートセルの属するクラスを指定する手段を設けたことを特徴とする。
請求項１５の発明は、複数のクラスの何れかに夫々属するショートセルを、ＡＴＭ(非
同期転送モード)セルのペイロードの中へ多重化するショートセル多重装置であって、前
回読み出されたショートセルの属するクラスと長さとを考慮して、今回読み出されるショートセルの属するクラスを指定する手段を設けたことを特徴とする。
請求項１６の発明は、複数のクラスの何れかに夫々属するショートセルを、ＡＴＭ(非
同期転送モード)セルのペイロードの中へ多重化するショートセル多重装置であって、各
クラスに属するショートセルの読み出しタイミングを、そのクラスと同じクラスに属する前回読み出されたショートセルの長さを考慮して決定する手段を設けたことを特徴とする。